(57)【要約】【課題】通信端末の登録情報がサーバシステムに登録されている状態であるか否かを容易に把握する。【解決手段】本発明に係る通信端末は、サーバシステムに登録要求を送信する登録要求送信部と、サーバシステムが登録情報を登録したことを示す確認情報を受信する確認情報受信部と、サーバシステムを介して他の通信端末と通信することが可能な通信部と、登録要求を送信するまでの間、登録要求を送信しておらず、サーバシステムに登録情報が登録されていないことを示す第１表示形態を表示し、登録要求を送信してから確認情報を受信するまでの間、登録要求を送信していることを示す第２表示形態を表示し、確認情報を受信した後、サーバシステムに登録情報が登録されていることを示す第３表示形態を表示する表示部とを備える。【選択図】図２
2008104083.tif 000002
【特許請求の範囲】
【請求項１】
外部のサーバシステムを介して通信する通信端末であって、
前記サーバシステムに、当該通信端末を識別する端末識別情報を含む登録情報の登録を要求する登録要求を送信する登録要求送信部と、
前記登録要求送信部が送信した登録要求に応じて、前記サーバシステムが当該通信端末の登録情報を登録したことを示す確認情報を受信する確認情報受信部と、
前記サーバシステムに当該通信端末の登録情報が登録されていることを条件として、前記サーバシステムを介して他の通信端末と通信することが可能な通信部と、
前記登録要求送信部が登録要求を送信するまでの間、前記登録要求送信部が登録要求を送信しておらず、前記サーバシステムに当該通信端末の登録情報が登録されていないことを示す第１状態であることを表す第１表示形態を表示し、
前記登録要求送信部が登録要求を送信してから前記確認情報受信部が確認情報を受信するまでの間、前記登録要求送信部が登録要求を送信していることを示す第２状態であることを表す第２表示形態を表示し、
前記確認情報受信部が確認情報を受信した後、前記サーバシステムに当該通信端末の登録情報が登録されていることを示す第３状態を表す第３表示形態を表示する表示部と
を備える通信端末。
【請求項２】
前記確認情報受信部が確認情報を受信した後、前記サーバシステムに当該通信端末の登録情報が登録されていることを確認する登録確認要求を、予め定められた周期で送信する登録確認要求送信部と、
前記登録確認要求送信部が送信した登録確認要求に応じて、前記サーバシステムが当該通信端末の登録情報の登録を維持していることを示す維持情報を受信する維持情報受信部と
を更に備え、
前記表示部は、前記登録確認要求送信部が登録確認要求を送信してから予め定められた所定期間が経過するまでに前記維持情報受信部が維持情報を受信しなかった場合、前記所定期間が経過した後、前記サーバシステムに当該通信端末の登録情報が登録されていることの確認が取れていないことを示す第４状態であることを表す第４表示形態を表示し、
前記登録確認要求送信部が登録確認要求を送信してから前記維持情報受信部が維持情報を受信するまでの間、前記登録確認要求送信部が登録確認要求を送信していることを示す第５状態であることを表す第５表示形態を表示し、
前記維持情報受信部が維持情報を受信した後、前記サーバシステムに当該通信端末の登録情報が登録されていることの確認が取れたことを示す第６状態を表す第６表示形態を表示する
請求項１に記載の通信端末。
【請求項３】
前記第１表示形態と前記第４表示形態とが同一であり、前記第２表示形態と前記第５表示形態とが同一であり、前記第３表示形態と前記第６表示形態とが同一の表示形態である
請求項２に記載の通信端末。
【請求項４】
前記確認情報受信部が確認情報を受信した後、前記サーバシステムが登録している当該通信端末の登録情報の削除を要求する登録削除要求を送信する削除要求送信部
を更に備え、
前記表示部は、前記削除要求送信部が登録削除要求を送信した後、前記サーバシステムに当該通信端末の登録情報が登録されていないことを示す前記第１状態を表す前記第１表示形態を表示する
請求項１に記載の通信端末。
【請求項５】
当該通信端末の電源を切断する旨の指示があったときに自動的に登録削除要求を送信する削除要求送信部
を更に備え、
前記表示部は、前記削除要求送信部が登録削除要求を送信した後、前記サーバシステムに当該通信端末の登録情報が登録されていないことを示す前記第１状態を表す前記第１表示形態を表示する
請求項１に記載の通信端末。
【請求項６】
前記登録要求送信部は、当該通信端末に電源が投入されたときに自動的に登録要求を送信し、
前記表示部は、電源が投入されたときから前記登録要求送信部が登録要求を送信するまでの間、前記第１表示形態を表示する
請求項１に記載の通信端末。
【請求項７】
前記サーバシステムとの通信を中継する外部の通信中継装置からの電界強度を監視することにより、前記サーバシステムと通信できる状態にあるか否か判断する通信可否判断部
を更に備え、
前記登録要求送信部は、電源が投入されたときに、前記通信可否判断部が前記サーバシステムと通信できない状態にあると判断した場合、電源が投入された後、前記通信可否判断部が前記サーバシステムと通信できる状態に遷移したと判断したときに自動的に登録要求を送信する
請求項６に記載の通信端末。
【請求項８】
外部のサーバシステムを介して通信する通信方法であって、
前記サーバシステムに、通信端末を識別する端末識別情報を含む登録情報の登録を要求する登録要求を送信する登録要求送信段階と、
前記登録要求送信段階において送信された登録要求に応じて、前記サーバシステムが当該通信端末の登録情報を登録したことを示す確認情報を受信する確認情報受信段階と、
前記登録要求送信段階において登録要求が送信されるまでの間、前記登録要求送信段階において登録要求を送信しておらず、前記サーバシステムに当該通信端末の登録情報が登録されていないことを示す第１状態であることを表す第１表示形態を表示する段階と、
前記登録要求送信段階において登録要求が送信されてから前記確認情報受信段階において確認情報が受信されるまでの間、前記登録要求送信段階において登録要求が送信されていることを示す第２状態であることを表す第２表示形態を表示する段階と、
前記確認情報受信段階において確認情報が受信された後、前記サーバシステムに当該通信端末の登録情報が登録されていることを示す第３状態を表す第３表示形態を表示する段階と
を備える通信方法。
【請求項９】
外部のサーバシステムを介して通信する通信端末用の通信プログラムであって、前記通信端末を、
前記サーバシステムに、当該通信端末を識別する端末識別情報を含む登録情報の登録を要求する登録要求を送信する登録要求送信部、
前記登録要求送信部が送信した登録要求に応じて、前記サーバシステムが当該通信端末の登録情報を登録したことを示す確認情報を受信する確認情報受信部、
前記サーバシステムに当該通信端末の登録情報が登録されていることを条件として、前記サーバシステムを介して他の通信端末と通信することが可能な通信部、
前記登録要求送信部が登録要求を送信するまでの間、前記登録要求送信部が登録要求を送信しておらず、前記サーバシステムに当該通信端末の登録情報が登録されていないことを示す第１状態であることを表す第１表示形態を表示し、
前記登録要求送信部が登録要求を送信してから前記確認情報受信部が確認情報を受信するまでの間、前記登録要求送信部が登録要求を送信していることを示す第２状態であることを表す第２表示形態を表示し、
前記確認情報受信部が確認情報を受信した後、前記サーバシステムに当該通信端末の登録情報が登録されていることを示す第３状態を表す第３表示形態を表示する表示部
として機能させる通信プログラム。
【発明の詳細な説明】
【技術分野】
【０００１】
本発明は、通信端末、通信方法、および通信プログラムに関する。特に、本発明は、外部のサーバシステムを介して通信する通信端末、通信方法、および通信プログラムに関する。
【背景技術】
【０００２】
特許文献１には、電源が投入されたときに、基地局から受信した信号の信号強度に応じて、信号強度に予め対応づけられた数のアンテナピクトを、受信レベルとして表示部に表示させる携帯電話端末について開示されている。
【特許文献１】２００２−３７４５７５号公報
【発明の開示】
【発明が解決しようとする課題】
【０００３】
しかしながら、特許文献１に記載の発明においては、基地局からの電界強度レベルに予め対応づけた数のアンテナピクトを表示することにより、携帯電話端末の受信品質の目安をユーザに通知できるものの、通信端末自身をネットワークに登録する場合における、登録処理の状態をユーザに通知することはできない。
【０００４】
そこで本発明は、上記課題を解決することができる通信端末、通信方法、および通信プログラムを提供することを目的とする。この目的は特許請求の範囲における独立項に記載の特徴の組み合わせにより達成される。また従属項は本発明の更なる有利な具体例を規定する。
【課題を解決するための手段】
【０００５】
上記課題を解決するために、本発明の第１の形態においては、外部のサーバシステムを介して通信する通信端末であって、サーバシステムに、当該通信端末を識別する端末識別情報を含む登録情報の登録を要求する登録要求を送信する登録要求送信部と、登録要求送信部が送信した登録要求に応じて、サーバシステムが当該通信端末の登録情報を登録したことを示す確認情報を受信する確認情報受信部と、サーバシステムに当該通信端末の登録情報が登録されていることを条件として、サーバシステムを介して他の通信端末と通信することが可能な通信部と、登録要求送信部が登録要求を送信するまでの間、登録要求送信部が登録要求を送信しておらず、サーバシステムに当該通信端末の登録情報が登録されていないことを示す第１状態であることを表す第１表示形態を表示し、登録要求送信部が登録要求を送信してから確認情報受信部が確認情報を受信するまでの間、登録要求送信部が登録要求を送信していることを示す第２状態であることを表す第２表示形態を表示し、確認情報受信部が確認情報を受信した後、サーバシステムに当該通信端末の登録情報が登録されていることを示す第３状態を表す第３表示形態を表示する表示部とを備える。
【０００６】
また、本発明の第２の形態においては、外部のサーバシステムを介して通信する通信方法であって、サーバシステムに、通信端末を識別する端末識別情報を含む登録情報の登録を要求する登録要求を送信する登録要求送信段階と、登録要求送信段階において送信された登録要求に応じて、サーバシステムが当該通信端末の登録情報を登録したことを示す確認情報を受信する確認情報受信段階と、登録要求送信段階において登録要求が送信されるまでの間、登録要求送信段階において登録要求を送信しておらず、サーバシステムに当該通信端末の登録情報が登録されていないことを示す第１状態であることを表す第１表示形態を表示する段階と、登録要求送信段階において登録要求が送信されてから確認情報受信段階において確認情報が受信されるまでの間、登録要求送信段階において登録要求が送信されていることを示す第２状態であることを表す第２表示形態を表示する段階と、確認情報受信段階において確認情報が受信された後、サーバシステムに当該通信端末の登録情報が登録されていることを示す第３状態を表す第３表示形態を表示する段階とを備える。
【０００７】
また、本発明の第３の形態においては、外部のサーバシステムを介して通信する通信端末用の通信プログラムであって、通信端末を、サーバシステムに、当該通信端末を識別する端末識別情報を含む登録情報の登録を要求する登録要求を送信する登録要求送信部、登録要求送信部が送信した登録要求に応じて、サーバシステムが当該通信端末の登録情報を登録したことを示す確認情報を受信する確認情報受信部、サーバシステムに当該通信端末の登録情報が登録されていることを条件として、サーバシステムを介して他の通信端末と通信することが可能な通信部、登録要求送信部が登録要求を送信するまでの間、登録要求送信部が登録要求を送信しておらず、サーバシステムに当該通信端末の登録情報が登録されていないことを示す第１状態であることを表す第１表示形態を表示し、登録要求送信部が登録要求を送信してから確認情報受信部が確認情報を受信するまでの間、登録要求送信部が登録要求を送信していることを示す第２状態であることを表す第２表示形態を表示し、確認情報受信部が確認情報を受信した後、サーバシステムに当該通信端末の登録情報が登録されていることを示す第３状態を表す第３表示形態を表示する表示部として機能させる。
【０００８】
なお、上記の発明の概要は、本発明の必要な特徴の全てを列挙したものではなく、これらの特徴群のサブコンビネーションもまた、発明となりうる。
【発明の効果】
【０００９】
本発明によれば、通信端末の登録情報がサーバシステムに登録されている状態であるか否かを容易に把握することができる。
【発明を実施するための最良の形態】
【００１０】
以下、発明の実施の形態を通じて本発明を説明するが、以下の実施形態は特許請求の範囲に係る発明を限定するものではなく、また実施形態の中で説明されている特徴の組み合わせの全てが発明の解決手段に必須であるとは限らない。
【００１１】
図１は、本発明の一実施形態に係る通信端末１０の動作の概要を示す。通信端末１０は、通信相手の通信端末１０との通信に先立って、ネットワーク４０を介してＳＩＰ（Ｓｅｓｓｉｏｎ  Ｉｎｉｔｉａｔｉｏｎ  Ｐｒｏｔｏｃｏｌ）サーバ２２およびプレゼンスサーバ２４を含むサーバシステムであるＩＭＳ（ＩＰ  Ｍｕｌｔｉｍｅｄｉａ  Ｓｕｂｓｙｓｔｅｍ）ネットワークに、通信端末１０自身に関する登録情報を登録する。通信端末１０自身に関する登録情報は、例えば、通信端末１０の、ＩＰアドレス、ＳＩＰ  ＵＲＩ（Ｕｎｉｆｏｒｍ  Ｒｅｓｏｕｒｃｅ  Ｉｄｅｎｔｉｆｉｅｒ）、およびＴＥＬ  ＵＲＩである。通信端末１０が登録情報を、例えば、ＳＩＰサーバ２２に登録すると、通信端末１０は、自己の現在の状況を示すプレゼンス情報を他の複数の通信端末１０に提供可能となるとともに、他の複数の通信端末１０のプレゼンス情報を参照可能な状態となる。また、通信端末１０は、登録情報をＳＩＰサーバ２２に登録することにより、他の複数の通信端末１０と半二重のＰｕｓｈ−Ｔｏ−Ｔａｌｋ（ＰＴＴ）通信方式による通信をすることができる状態となる。
【００１２】
本実施形態に係る通信端末１０は、通信端末１０の登録情報がサーバシステムに登録されている状態であるか否かを容易に把握することができるようにすることを目的とする。
【００１３】
まず、通信端末１０は、電源が投入されたときに、登録情報の登録を要求するイニシャルレジスタを、ネットワーク４０を介してＳＩＰサーバ２２に自動的に送信する。ＳＩＰサーバ２２は、通信端末１０の登録情報を登録する。そして、ＳＩＰサーバ２２は、通信端末１０の登録情報を登録した後、登録情報が登録されたことを示す確認情報を、通信端末１０に送信する。通信端末１０は、ＳＩＰサーバ２２から確認情報を受信することにより、登録情報の登録が完了したことを検知する。なお、ＳＩＰサーバ２２は、イニシャルレジスタを受信した時点からタイマ（例えば、２時間を計測するタイマ）を起動する。
【００１４】
係る場合において、通信端末１０は、イニシャルレジスタをＳＩＰサーバ２２に送信したときから、確認情報をＳＩＰサーバ２２より受信するまでの間、登録情報をＳＩＰサーバ２２へ登録する処理を実行中であることを示すピクト３００を、通信端末１０が備える表示部１６５に表示する。具体的には、表示部１６５は、表示部１６５の表示領域の上端に隣接して表示している、電界強度をユーザに随時通知するアンテナピクトに隣接させて、ピクト３００を表示する。例えば、表示部１６５は、ピクト３００を点滅させて表示する。続いて、通信端末１０が、ＳＩＰサーバ２２から確認情報を受信したときは、表示部１６５は、点滅表示していたピクト３００からピクト３１０に変更して、ピクト３１０を点灯表示する。これにより、通信端末１０のユーザは、例えば、自己のプレゼンス情報をプレゼンスサーバ２４に登録できる状態になったことを把握できる。
【００１５】
また、通信端末１０が通信相手の通信端末１０のプレゼンス情報をプレゼンスサーバ２４から取得する場合には、自己の登録情報が適切にＳＩＰサーバ２２に登録されている必要がある。したがって、通信端末１０は、自己の登録情報がＳＩＰサーバ２２に登録されていることを確認すべく、予め定められた周期（例えば、１時間ごと）でリレジスタをＳＩＰサーバ２２に自動的に送信する。そして、ＳＩＰサーバ２２は、リレジスタを受信して、通信端末１０の登録情報の登録を維持していることを示す維持情報を通信端末１０に送信する。通信端末１０は、ＳＩＰサーバ２２が送信した維持情報を受信することにより、自己の登録情報がＳＩＰサーバ２２に登録されていることを検知できる。
【００１６】
係る場合において、通信端末１０は、ＳＩＰサーバ２２にリレジスタを送信した後、予め定められた時間が経過するまでにＳＩＰサーバ２２から維持情報を受信しない場合は、ＳＩＰサーバ２２にリレジスタの送信を、所定の期間繰り返す。表示部１６５は、リレジスタの送信を繰り返している間、ピクト３００を点滅表示する。そして、表示部１６５は、ＳＩＰサーバ２２から所定の期間内に維持情報を受信した場合には、ピクト３１０を点灯表示する。一方、ＳＩＰサーバ２２がサーバダウンしている等の理由により、ＳＩＰサーバ２２から維持情報を受信できない場合には、表示部１６５は、ピクト３００およびピクト３１０とは異なる形態のピクトを表示するか、またはピクトを表示しない。
【００１７】
なお、ＳＩＰサーバ２２は、通信端末１０からイニシャルレジスタを受信したときに起動したタイマが計測する時間が経過するまでに通信端末１０からリレジスタを受信しない場合は、登録した通信端末１０の登録情報を自動的に消去する。これにより、通信端末１０が圏外に存在する等の理由により長時間通信できない状態である場合には、ＳＩＰサーバ２２は自動的に通信端末１０の登録情報を消去できるので、通信できないにもかかわらず、通信端末１０に他の通信端末１０からの通信接続の要求の送信をする処理を実行することを防止できる。
【００１８】
図２は、本実施形態に係る通信端末１０の機能構成の一例を示す。通信端末１０は、外部のサーバシステムを介して通信する通信端末であって、具体的には、携帯電話端末である。例えば、通信端末１０は、半二重通信方式であるＰＴＴ通信方式で通信する携帯電話端末であってよい。また、通信端末１０は、通信機能を有するノートパソコン、ＰＤＡ、ゲーム機等の携帯情報端末、およびデスクトップ型ＰＣであってもよい。なお、サーバシステムは、ＳＩＰサーバ２２およびプレゼンスサーバ２４を含むＩＭＳネットワーク２６の一例である。また、通信端末１０は、外部の通信中継装置（例えば、基地局）を介して、サーバシステムと通信する。
【００１９】
通信端末１０は、要求送信ユニット１００、通信部１２０、音声入力部１２６、音声出力部１２８、情報受信ユニット１３０、通信制御部１４０、通信モード設定部１４５、指示入力ユニット１５０、表示制御部１６０、表示部１６５、通信可否判断部１７０、電界強度検出部１７５、および電源制御部１８０を備える。また、要求送信ユニット１００は、登録要求送信部１０２、登録確認要求送信部１０４、および削除要求送信部１０６を有する。通信部１２０は、データ送信部１２２およびデータ受信部１２４を有する。また、情報受信ユニット１３０は、確認情報受信部１３２および維持情報受信部１３４を有する。更に、指示入力ユニット１５０は、送信指示入力部１５２および削除指示入力部１５４を有する。
【００２０】
電源制御部１８０は、通信端末１０の電源の投入／切断を制御する。電源制御部１８０は、通信端末１０に電源が投入されたことを示す情報、および通信端末１０の電源が切断することを示す情報を通信制御部１４０に供給する。電界強度検出部１７５は、通信端末１０とサーバシステムとの通信を中継する外部の通信中継装置からの電界強度を検出する。電界強度検出部１７５は、検出した電界強度を示す情報を、通信可否判断部１７０に供給する。
【００２１】
通信可否判断部１７０は、サーバシステムとの通信を中継する外部の通信中継装置からの電界強度を監視することにより、サーバシステムと通信できる状態にあるか否かを判断する。具体的には、通信可否判断部１７０は、電界強度検出部１７５から受け取った情報が示す電界強度が予め定められた閾値を超えた場合に、通信端末１０がサーバシステムと通信できる状態にあると判断する。一方、通信可否判断部１７０は、電界強度検出部１７５から受け取った情報が示す電界強度が予め定められた閾値以下の場合に、通信端末１０がサーバシステムと通信できない状態にあると判断する。通信可否判断部１７０は、判断結果を通信制御部１４０に供給する。
【００２２】
通信制御部１４０は、要求送信ユニット１００、通信部１２０、および情報受信ユニット１３０のそれぞれを制御して、通信端末１０からサーバシステムへの情報の送受信を制御する。また、通信制御部１４０は、通信モード設定部１４５、指示入力ユニット１５０、通信可否判断部１７０、および電源制御部１８０から供給される情報に基づいて、要求送信ユニット１００、通信部１２０、および情報受信ユニット１３０のそれぞれを制御する。また、通信制御部１４０は、通信部１２０および情報受信ユニット１３０から受け取った情報、および所定の情報を要求送信ユニット１００からサーバシステムに送信した旨を示す情報を表示制御部１６０に供給する。
【００２３】
登録要求送信部１０２は、サーバシステムに、通信端末１０を識別する端末識別情報を含む登録情報の登録を要求する登録要求を送信する。登録要求送信部１０２は、通信制御部１４０に制御されて、登録要求を送信する。端末識別情報は、具体的には、通信端末１０のＩＰアドレス、ＳＩＰ  ＵＲＩ、およびＴＥＬ  ＵＲＩである。また、登録要求は、例えば、イニシャルレジスタメッセージである。具体的には、登録要求送信部１０２は、通信端末１０に電源が投入されたときに自動的に登録要求をサーバシステムに送信する。例えば、まず電源制御部１８０が、通信端末１０に電源が投入されたことを示す情報を、通信制御部１４０に供給する。そして、通信制御部１４０は、電源が投入されたことを示す情報を受け取った後、登録要求送信部１０２を制御して、登録要求をサーバシステムに送信させる。
【００２４】
また、登録要求送信部１０２は、電源が投入されたときに、通信可否判断部１７０がサーバシステムと通信できない状態にあると判断した場合において、電源が投入された後、通信可否判断部１７０がサーバシステムと通信できる状態に遷移したと判断したときに自動的に登録要求を送信する。具体的には、通信制御部１４０が、電源制御部１８０から電源が投入されたことを示す情報を受け取った時点で、通信可否判断部１７０から、通信端末１０とサーバシステムとが通信できない状態にあることを示す判断結果を受け取った場合には、通信制御部１４０は、通信可否判断部１７０から、通信端末１０とサーバシステムとが通信できる状態にあることを示す判断結果を受け取るまで待機する。そして、通信制御部１４０は、通信可否判断部１７０から、通信端末１０とサーバシステムとが通信できる状態にあることを示す判断結果を受け取った時点で、登録要求送信部１０２に登録要求を送信させる。これにより、通信端末１０が圏外から圏内に移動した場合に、ユーザに特別な操作を要求することなく、自動的にサーバシステムに登録要求を送信することができる。
【００２５】
また、登録要求送信部１０２は、ユーザの指示に応じて登録要求をサーバシステムに送信してもよい。例えば、送信指示入力部１５２は、サーバシステムに登録要求を送信する旨のユーザからの登録要求送信指示を入力する。そして、送信指示入力部１５２は、入力した登録要求送信指示を通信制御部１４０に供給する。通信制御部１４０は、送信指示入力部１５２から受け取った登録要求送信指示に応じて、登録要求送信部１０２からサーバシステムに登録要求を送信させる。これにより、通信端末１０のユーザが、手動で登録要求をサーバシステムに送信できるので、ユーザが所望するタイミングで登録情報をサーバシステムに登録することができる。
【００２６】
確認情報受信部１３２は、登録要求送信部１０２が送信した登録要求に応じて、サーバシステムが通信端末１０の登録情報を登録したことを示す確認情報を受信する。確認情報は、例えば、サーバシステムが通信端末１０に送信する、２００ＯＫメッセージである。確認情報受信部１３２は、確認情報を通信制御部１４０に供給する。登録確認要求送信部１０４は、通信制御部１４０に制御されて、確認情報受信部１３２が確認情報を受信した後、サーバシステムに通信端末１０の登録情報が登録されていることを確認する登録確認要求を、予め定められた周期（例えば、１時間ごと）で送信する。登録確認要求は、例えば、リレジスタである。維持情報受信部１３４は、登録確認要求送信部１０４が送信した登録確認要求に応じて、サーバシステムが通信端末１０の登録情報の登録を維持していることを示す維持情報を受信する。維持情報は、例えば、リレジスタを受信した旨を示す２００ＯＫメッセージである。維持情報受信部１３４は、受信した維持情報を通信制御部１４０に供給する。
【００２７】
削除要求送信部１０６は、通信制御部１４０に制御され、確認情報受信部１３２が確認情報を受信した後、サーバシステムが登録している通信端末１０の登録情報の削除を要求する登録削除要求を送信する。登録削除要求は、例えば、デレジスタである。また、削除要求送信部１０６は、通信端末１０の電源を切断する旨の指示があったときに自動的に登録削除要求を送信する。また、削除要求送信部１０６は、ユーザの指示に応じて登録削除要求をサーバシステムに送信してもよい。
【００２８】
例えば、削除指示入力部１５４は、サーバシステムに登録削除要求を送信する旨のユーザからの登録削除要求送信指示を入力する。そして、削除指示入力部１５４は、入力した登録削除要求送信指示を通信制御部１４０に供給する。通信制御部１４０は、削除指示入力部１５４から受け取った登録削除要求送信指示に応じて、削除要求送信部１０６からサーバシステムに登録削除要求を送信させる。これにより、通信端末１０のユーザが、手動で登録削除要求をサーバシステムに送信できるので、ユーザが所望するタイミングで自己の登録情報をサーバシステムから消去することができる。
【００２９】
表示制御部１６０は、通信制御部１４０が情報受信ユニット１３０から受け取った情報に基づいて、表示部１６５の表示を制御する。具体的には、表示部１６５は、登録要求送信部１０２が登録要求を送信するまでの間、登録要求送信部１０２が登録要求を送信しておらず、サーバシステムに通信端末１０の登録情報が登録されていないことを示す第１状態であることを表す第１表示形態を表示する。例えば、表示制御部１６０は、登録要求送信部１０２が登録要求を送信したことを示す情報を通信制御部１４０から受け取るまで、表示部１６５に第１表示形態を表示させる。第１表示形態は、例えば、ユーザに登録情報がサーバシステムに登録されていないことを直感的に知覚させる、第１状態に予め対応づけたピクトである。
【００３０】
また、表示部１６５は、登録要求送信部１０２が登録要求を送信してから確認情報受信部１３２が確認情報を受信するまでの間、登録要求送信部１０２が登録要求を送信していることを示す第２状態であることを示す第２表示形態を表示する。例えば、表示制御部１６０は、登録要求送信部１０２が登録要求を送信したことを示す情報を通信制御部１４０から受け取ったときから、確認情報受信部１３２が確認情報を受け取ったことを示す情報を通信制御部１４０から受け取るまでの間、表示部１６５に第２表示形態を表示させる。第２表示形態は、例えば、ユーザに登録情報がサーバシステムに登録要求を送信していることを直感的に知覚させるべく、点滅しながら表示部１６５に表示される予め定められたピクトである。
【００３１】
また、表示部１６５は、確認情報受信部１３２が確認情報を受信した後、サーバシステムに通信端末１０の登録情報が登録されていることを示す第３状態を表す第３表示形態を表示する。例えば、表示制御部１６０は、確認情報受信部１３２が確認情報を受信したことを示す情報を通信制御部１４０から受け取ったときに、表示部１６５に第３表示形態を表示させる。第３表示形態は、例えば、ユーザに登録情報がサーバシステムに登録されていることを直感的に知覚させるべく、点灯状態で表示部１６５に表示される予め定められたピクトである。なお、第１表示形態、第２表示形態、および第３表示形態のそれぞれをユーザが容易に識別可能とすべく、第１表示形態、第２表示形態、および第３表示形態の形状、模様、若しくは色彩またはこれらの結合、および点滅の有無並びに形状の変形等の表示動作は、それぞれ相違させる。
【００３２】
また、表示部１６５は、登録確認要求送信部１０４が登録確認要求を送信してから予め定められた所定期間が経過するまでに維持情報受信部１３４が維持情報を受信しなかった場合、所定期間が経過した後、サーバシステムに通信端末１０の登録情報が登録されていることの確認が取れていないことを示す第４状態であることを表す第４表示形態を表示する。例えば、表示制御部１６０は、登録確認要求送信部１０４が登録確認要求を送信したことを示す情報を通信制御部１４０から受け取ったときから、予め定められた所定期間を計測する期間計測部を有していてよい。そして、時間計測部が予め定められた期間を経過したことを計測した場合に、表示制御部１６０は、表示部１６５に第４表示形態を表示させる。なお、第４表示形態は、第１表示形態と同一である。
【００３３】
そして、表示部１６５は、登録確認要求送信部１０４が登録確認要求を送信してから維持情報受信部１３４が維持情報を受信するまでの間、登録確認要求送信部１０４が登録確認要求を送信していることを示す第５状態であることを表す第５表示形態を表示する。例えば、表示制御部１６０は、登録確認要求送信部１０４が登録確認要求を送信したことを示す情報を通信制御部１４０から受け取ったときから、維持情報受信部１３４が維持情報を受け取ったことを示す情報を通信制御部１４０から受け取るまでの間、表示部１６５に第５表示形態を表示させる。なお、第５表示形態は、第２表示形態と同一である。
【００３４】
更に、表示部１６５は、維持情報受信部１３４が維持情報を受信した後、サーバシステムに通信端末１０の登録情報が登録されていることの確認が取れたことを示す第６状態を表す第６表示形態を表示する。例えば、表示制御部１６０は、維持情報受信部１３４外字情報を受信したことを示す情報を、通信制御部１４０から受け取った後、表示部１６５に第６表示形態を表示させる。なお、第６表示形態は、第３表示形態と同一である。
【００３５】
また、表示部１６５は、削除要求送信部１０６が登録削除要求を送信した後、サーバシステムに通信端末１０の登録情報が登録されていないことを示す第１状態を表す第１表示形態を表示する。例えば、表示制御部１６０は、削除要求送信部１０６が登録削除要求を送信したことを示す情報を通信制御部１４０から受け取った後、表示部１６５に第１表示形態を表示させる。また、表示部１６５は、通信端末１０に電源が投入されたときから登録要求送信部１０２が登録要求を送信するまでの間、第１表示形態を表示する。
【００３６】
音声入力部１２６は、通信端末１０のユーザが発した音声を入力する。音声入力部１２６は、入力した音声を示す音声データをデータ送信部１２２に供給する。通信部１２０は、サーバシステムに通信端末１０の登録情報が登録されていることを条件として、サーバシステムを介して他の通信端末１０と通信することができる。具体的には、通信部１２０は、データ送信部１２２およびデータ受信部１２４を有する。データ送信部１２２は、通信相手の他の通信端末１０に音声データを送信する。データ送信部１２２は、音声入力部１２６から受け取った音声データを送信する。また、データ送信部１２２は、通信相手の他の通信端末１０のプレゼンス情報を構築する情報を含むメッセージであるＮＯＴＩＦＹメッセージを要求するＳＵＢＳＣＲＩＢＥメッセージを送信する。更に、データ送信部１２２は、テキストデータ等の通信データを送信する。
【００３７】
データ受信部１２４は、通信相手の他の通信端末１０から音声データを受信する。データ受信部１２４は、受信した音声データを、音声出力部１２８に供給する。音声出力部１２８は、データ受信部１２４から受け取った音声データが示す音声を出力する。通信モード設定部１４５は、通信制御部１４０に働きかけて、データ受信部１２４が音声データを受信する受信モードと、データ送信部１２２が音声データを送信する送信モードとのいずれかの通信モードに設定する。これにより、通信端末１０においてＰＴＴ通信方式の通信を実現できる。
【００３８】
本実施形態に係る通信端末１０によれば、通信端末１０の登録情報をサーバシステムに送信中であること、サーバシステムが登録情報の登録を完了したこと、およびサーバシステムが登録情報を登録していないことのそれぞれの状態に予め対応づけたピクトを表示できる。これにより、ユーザは、通信端末１０がプレゼンス情報の提供等を実行可能な状態にあるかどうかを一目で把握することができる。
【００３９】
図３は、本実施形態に係る通信端末１０における処理の流れの一例を示す。まず、通信端末１０の電源が投入されたことを、通信制御部１４０は電源制御部１８０からの情報により検知する（Ｓ１０００）。通信制御部１４０は、電源が投入されたことを示す情報を表示制御部１６０に供給するとともに、登録要求送信部１０２に登録要求（例えば、イニシャルレジスタ（Ｉｎｉ．ＲＥＧＩＳＴＥＲ））をＩＭＳネットワーク２６へ送信させる（Ｓ１０１０）。係る場合において、表示制御部１６０は、登録要求送信部１０２が登録要求を送信したことを示す情報を通信制御部１４０から受け取るまで、表示部１６５に第１表示形態を表示させる（Ｓ１００５）。
【００４０】
ＩＭＳネットワーク２６は、登録要求を受信したタイミングでタイマを作動させるとともに、通信端末１０の登録情報を登録する。ＩＭＳネットワーク２６は、通信端末１０の登録情報を登録したことを示す確認情報（例えば、２００ＯＫメッセージ）を、通信端末１０に送信する（Ｓ１０１５）。確認情報受信部１３２は、ＩＭＳネットワーク２６から確認情報を受信する。通信制御部１４０は、確認情報受信部１３２から確認情報を受け取って、確認情報を受け取ったことを示す情報を表示制御部１６０に供給する。
【００４１】
係る場合において、表示制御部１６０は、登録要求送信部１０２が登録要求を送信したことを示す情報を通信制御部１４０から受け取ったときから、確認情報受信部１３２が確認情報を受け取ったことを示す情報を通信制御部１４０から受け取るまでの間、表示部１６５に第２表示形態を表示させる（Ｓ１０２５）。そして、表示制御部１６０は、確認情報受信部１３２が確認情報を受信したことを示す情報を通信制御部１４０から受け取ったときから、登録確認要求送信部１０４が登録確認要求を送信するまで、表示部１６５に第３表示形態を表示させる（Ｓ１０３０）。
【００４２】
続いて、登録確認要求送信部１０４は、確認情報受信部１３２が確認情報を受信したときから予め定められた周期で、登録確認要求（例えば、リレジスタ（Ｒｅ  ＲＥＧＩＳＴＥＲ））をＩＭＳネットワーク２６に送信する（Ｓ１０３５）。ＩＭＳネットワーク２６は、確認情報を受信した場合に、核に情報を受信したことを示す維持情報（例えば、２００ＯＫメッセージ）を、通信端末１０に送信する（Ｓ１０４０）。そして、表示制御部１６０は、登録確認要求送信部１０４が登録確認要求を送信したことを示す情報を通信制御部１４０から受け取ったときから、維持情報受信部１３４が維持情報を受け取ったことを示す情報を通信制御部１４０から受け取るまでの間、表示部１６５に第５表示形態を表示させる（Ｓ１０４５）。表示制御部１６０は、維持情報受信部１３４が維持情報を受け取ったことを示す情報を通信制御部１４０から受け取ると、登録確認要求送信部１０４が次の周期で登録確認要求を送信するまで、表示部１６５に第６表示形態を表示させる。（Ｓ１０５０）。
【００４３】
そして、予め定められた次の周期のタイミングにおいて、登録確認要求送信部１０４は、登録確認要求のＩＭＳネットワーク２６への送信を試みる（Ｓ１０５５）。係る場合において、ＩＭＳネットワーク２６の障害等により登録確認要求がＩＭＳネットワーク２６に到達せず、ＩＭＳネットワーク２６が維持情報を通信端末１０に送信できない場合は、登録確認要求送信部１０４は、ＩＭＳネットワーク２６に、予め定められた繰り返し周期で登録確認要求の送信を試みる（Ｓ１０６０）。この場合に表示制御部１６０は、繰り返し登録要求を送信していることを示す第７状態であることを示す第７表示形態を表示部１６５に表示させる（Ｓ１０６５）。なお、第７表示形態は、第５表示形態と同一である。そして、維持情報受信部１３４がＩＭＳネットワーク２６から維持情報を受信できない場合は、表示制御部１６０は、表示部１６５に第１表示形態を表示する。一方、ＩＭＳネットワーク２６は、イニシャルレジスタを受信したタイミングで作動させたタイマが計測する時間が経過するまでに（Ｓ１０２０）、通信端末１０から登録確認要求を受信しない場合、登録している登録情報を消去する（Ｓ１０７０）。
【００４４】
図４は、本実施形態に係る通信端末１０における処理の流れの一例を示す。まず、通信端末１０の電源が投入されたことを、通信制御部１４０は電源制御部１８０からの情報により検知する（Ｓ１１００）。通信制御部１４０は、電源が投入されたことを検知した場合に、登録要求送信部１０２に登録要求（例えば、イニシャルレジスタ）をＩＭＳネットワーク２６へ送信させる（Ｓ１１１０）。ＩＭＳネットワーク２６は、通信端末１０の登録情報を登録して、通信端末１０の登録情報を登録したことを示す確認情報（例えば、２００ＯＫメッセージ）を、通信端末１０に送信する（Ｓ１１２０）。
【００４５】
次に、削除要求送信部１０６が、登録削除要求（例えば、デレジスタ（Ｄｅ  ＲＥＧＩＳＴＥＲ））をＩＭＳネットワーク２６に送信すると（Ｓ１１３０）、ＩＭＳネットワーク２６は、登録している通信端末１０の登録情報を消去する（Ｓ１１４０）。これにより、通信相手の他の通信端末１０が通信端末１０との通信接続を要求すべく、ＩＭＳネットワーク２６に例えばＩＮＶＩＴＥメッセージを送信した場合でも、ＩＭＳネットワーク２６は当該ＩＮＶＩＴＥメッセージを通信端末１０に送信せずに、他の通信端末１０からの通信接続の要求を拒否できる。
【００４６】
係る場合において、表示制御部１６０は、通信制御部１４０から削除要求送信部１０６が登録削除要求を送信したことを示す情報を受け取った場合に、表示部１６５に第１表示形態を表示させる。
【００４７】
図５は、本実施形態に係る通信端末１０における処理の流れの一例を示す。まず、通信端末１０の電源が投入されたことを、通信制御部１４０は電源制御部１８０からの情報により検知する（Ｓ１２００）。通信制御部１４０は、電源が投入されたことを検知した場合に、登録要求送信部１０２に登録要求（例えば、イニシャルレジスタ）をＩＭＳネットワーク２６へ送信させる（Ｓ１２１０）。ＩＭＳネットワーク２６は、通信端末１０の登録情報を登録して、通信端末１０の登録情報を登録したことを示す確認情報（例えば、２００ＯＫメッセージ）を、通信端末１０に送信する（Ｓ１２２０）。
【００４８】
ここで、通信端末１０の電源を切断する場合、電源制御部１８０から通信制御部１４０に、電源を切断する旨を示す情報が供給される（Ｓ１２３０）。通信制御部１４０は、電源制御部１８０から受け取った電源を切断する旨の情報に応じて、削除要求送信部１０６を制御して、削除要求送信部１０６から登録削除要求をＩＭＳネットワーク２６に送信させる（Ｓ１２４０）。ＩＭＳネットワーク２６は、登録削除要求を受信した場合、登録している通信端末１０の登録情報を消去する（Ｓ１２５０）。一方、通信端末１０においては、表示制御部１６０は、通信制御部１４０から電源制御部１８０が電源を切断する旨を示す情報を受け取ると、電源制御部１８０が通信端末１０の電源を切断する（Ｓ１２６０）までの間、表示部１６５に、第２表示形態を表示させる（Ｓ１２４５）。
【００４９】
図６は、本実施形態に係る通信端末１０のハードウェア構成の一例を示す。本実施形態に係る通信端末１０は、ホスト・コントローラ１５８２により相互に接続されるＣＰＵ１５０５、ＲＡＭ１５２０、グラフィック・コントローラ１５７５、および表示装置１５８０を有するＣＰＵ周辺部と、入出力コントローラ１５８４によりホスト・コントローラ１５８２に接続される通信インターフェイス１５３０、ハードディスクドライブ１５４０、およびＣＤ−ＲＯＭドライブ１５６０を有する入出力部と、入出力コントローラ１５８４に接続されるＲＯＭ１５１０、フレキシブルディスク・ドライブ１５５０、および入出力チップ１５７０を有するレガシー入出力部とを備える。なお、通信端末１０は、ハードディスクドライブ１５４０、フレキシブルディスク・ドライブ１５５０、およびＣＤ−ＲＯＭドライブ１５６０の代わりに、半導体メモリ読込部を備えていてもよい。例えば、半導体メモリ読込部は、小型の半導体メモリに記録された情報を読み取る。
【００５０】
ホスト・コントローラ１５８２は、ＲＡＭ１５２０と、高い転送レートでＲＡＭ１５２０をアクセスするＣＰＵ１５０５およびグラフィック・コントローラ１５７５とを接続する。ＣＰＵ１５０５は、ＲＯＭ１５１０およびＲＡＭ１５２０に格納されたプログラムに基づいて動作して、各部を制御する。グラフィック・コントローラ１５７５は、ＣＰＵ１５０５等がＲＡＭ１５２０内に設けたフレーム・バッファ上に生成する画像データを取得して、表示装置１５８０上に表示させる。これに代えて、グラフィック・コントローラ１５７５は、ＣＰＵ１５０５等が生成する画像データを格納するフレーム・バッファを、内部に含んでもよい。
【００５１】
入出力コントローラ１５８４は、ホスト・コントローラ１５８２と、比較的高速な入出力装置である通信インターフェイス１５３０、ハードディスクドライブ１５４０、ＣＤ−ＲＯＭドライブ１５６０を接続する。通信インターフェイス１５３０は、ネットワークを介して他の装置と通信する。ハードディスクドライブ１５４０は、通信端末１０内のＣＰＵ１５０５が使用するプログラムおよびデータを格納する。ＣＤ−ＲＯＭドライブ１５６０は、ＣＤ−ＲＯＭ１５９５からプログラムまたはデータを読み取り、ＲＡＭ１５２０を介してハードディスクドライブ１５４０に提供する。
【００５２】
また、入出力コントローラ１５８４には、ＲＯＭ１５１０と、フレキシブルディスク・ドライブ１５５０、および入出力チップ１５７０の比較的低速な入出力装置とが接続される。ＲＯＭ１５１０は、通信端末１０が起動時に実行するブート・プログラム、通信端末１０のハードウェアに依存するプログラム等を格納する。フレキシブルディスク・ドライブ１５５０は、フレキシブルディスク１５９０からプログラムまたはデータを読み取り、ＲＡＭ１５２０を介してハードディスクドライブ１５４０に提供する。入出力チップ１５７０は、フレキシブルディスク・ドライブ１５５０、例えばパラレル・ポート、シリアル・ポート、キーボード・ポート、マウス・ポート等を介して各種の入出力装置を接続する。
【００５３】
ＲＡＭ１５２０を介してハードディスクドライブ１５４０に提供される通信プログラムは、フレキシブルディスク１５９０、ＣＤ−ＲＯＭ１５９５、またはＩＣカード等の記録媒体に格納されて利用者によって提供される。通信プログラムは、記録媒体から読み出され、ＲＡＭ１５２０を介して通信端末１０内のハードディスクドライブ１５４０にインストールされ、ＣＰＵ１５０５において実行される。通信端末１０にインストールされて実行される通信プログラムは、ＣＰＵ１５０５等に働きかけて、通信端末１０を、図１から図５にかけて説明した要求送信ユニット１００、通信部１２０、音声入力部１２６、音声出力部１２８、情報受信ユニット１３０、通信制御部１４０、通信モード設定部１４５、指示入力ユニット１５０、表示制御部１６０、表示部１６５、通信可否判断部１７０、電界強度検出部１７５、および電源制御部１８０として機能させる。
【００５４】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが、特許請求の範囲の記載から明らかである。
【図面の簡単な説明】
【００５５】
【図１】通信端末１０の動作の概要図である。
【図２】通信端末１０の機能構成を示すブロック図である。
【図３】通信端末１０における処理の流れを示すシーケンス図である。
【図４】通信端末１０における処理の流れを示すシーケンス図である。
【図５】通信端末１０における処理の流れを示すシーケンス図である。
【図６】通信端末１０のハードウェア構成を示すブロック図である。
【符号の説明】
【００５６】
１０  通信端末
２２  ＳＩＰサーバ
２４  プレゼンスサーバ
２６  ＩＭＳネットワーク
４０  ネットワーク
１００  要求送信ユニット
１０２  登録要求送信部
１０４  登録確認要求送信部
１０６  削除要求送信部
１２０  通信部
１２２  データ送信部
１２４  データ受信部
１２６  音声入力部
１２８  音声出力部
１３０  情報受信ユニット
１３２  確認情報受信部
１３４  維持情報受信部
１４０  通信制御部
１４５  通信モード設定部
１５０  指示入力ユニット
１５２  送信指示入力部
１５４  削除指示入力部
１６０  表示制御部
１６５  表示部
１７０  通信可否判断部
１７５  電界強度検出部
１８０  電源制御部
３００、３１０  ピクト
１５０５  ＣＰＵ
１５１０  ＲＯＭ
１５２０  ＲＡＭ
１５３０  通信インターフェイス
１５４０  ハードディスクドライブ
１５５０  フレキシブルディスク・ドライブ
１５６０  ＣＤ−ＲＯＭドライブ
１５７０  入出力チップ
１５７５  グラフィック・コントローラ
１５８０  表示装置
１５８２  ホスト・コントローラ
１５８４  入出力コントローラ
１５９０  フレキシブルディスク
１５９５  ＣＤ−ＲＯＭ
【図１】
2008104083.tif 000003
【図２】
2008104083.tif 000004
【図３】
2008104083.tif 000005
【図４】
2008104083.tif 000006
【図５】
2008104083.tif 000007
【図６】
2008104083.tif 000008